(57)【要約】【課題】  全二重通信において実効的な伝送効率を向上させることができるデータ伝送装置、データ伝送方法及び制御プログラムを提供する。【解決手段】  第１の通信路１３及び第２の通信路１４を介してフレーム構成のデータを全二重通信で伝送するデータ伝送装置１０であって、第１の通信路１３を介してフレーム同期データを含む受信データを受信するデータ受信部と、受信データからフレーム同期タイミングを抽出するタイミング抽出部と、フレーム同期タイミングに同期させて送信データを送信するデータ送信部とを備えたデータ伝送装置１０等。フレーム構成のデータを全二重通信を行うに際し、一方のデータ伝送装置１５は、他方のデータ伝送装置１１のフレーム同期データに同期させてデータ伝送を行うため、フレーム同期データが不要となり、実効的な伝送データ量を増加させることができる。【選択図】  図４
2006352512.tif 000002
【特許請求の範囲】
【請求項１】
第１の通信路及び第２の通信路を介してフレーム構成のデータを全二重通信で伝送するデータ伝送装置であって、
前記第１の通信路を介してフレーム同期データを含む受信データを受信するデータ受信部と、
前記受信データからフレーム同期タイミングを抽出するタイミング抽出部と、
前記フレーム同期タイミングに同期させて送信データを送信するデータ送信部とを備えたことを特徴とするデータ伝送装置。
【請求項２】
前記送信対象のデータを生成するデータ生成部と、
前記送信対象のデータをフレーム単位で記憶するデータフレーム記憶部とを備え、
前記データ送信部は、前記データフレーム記憶部から前記フレーム単位で前記送信対象のデータを読み出して前記送信データとして送信することを特徴とする請求項１に記載のデータ伝送装置。
【請求項３】
クロック伝送路を介して伝送クロック信号を受信し、前記伝送クロック信号及び前記フレーム同期タイミングに基づいてフレーム先頭位置の到来タイミングを検出するクロックカウンタ部を備え、
前記データ送信部は、前記フレーム先頭位置の到来タイミングに同期させて前記送信データを送信することを特徴とする請求項１又は２に記載のデータ伝送装置。
【請求項４】
第１の通信路及び第２の通信路を介してフレーム構成のデータを全二重通信で伝送するデータ伝送装置であって、
前記第１の通信路を介してフレーム同期データを含む送信データを送信するデータ送信部と、
前記フレーム同期データのフレーム同期タイミングに同期させて前記第２の通信路を介して受信データを受信し、処理を行うデータ受信処理部とを備えたことを特徴とするデータ伝送装置。
【請求項５】
前記データ受信処理部は、前記受信データをフレーム単位で記憶するデータフレーム記憶部と、
前記受信データから処理対象のデータを抽出するデータ抽出部と、
前記処理対象のデータの処理を行うデータ処理部とを備えたことを特徴とする請求項４に記載のデータ伝送装置。
【請求項６】
第１の通信路及び第２の通信路を介してフレーム構成のデータを全二重通信で伝送するデータ伝送方法であって、
前記第１の通信路を介してフレーム同期データを含む受信データを受信するデータ受信過程と、
前記受信データからフレーム同期タイミングを抽出するタイミング抽出過程と、
前記フレーム同期タイミングに同期させて送信データを送信するデータ送信過程とを備えたことを特徴とするデータ伝送方法。
【請求項７】
第１の通信路及び第２の通信路を介してフレーム構成のデータを全二重通信で伝送するデータ伝送方法であって、
前記第１の通信路を介してフレーム同期データを含む送信データを送信するデータ送信過程と、
前記フレーム同期データのフレーム同期タイミングに同期させて前記第２の通信路を介して受信データを受信し、処理を行うデータ受信処理過程とを備えたことを特徴とするデータ伝送方法。
【請求項８】
第１の通信路及び第２の通信路を介してフレーム構成のデータを全二重通信で伝送するデータ伝送装置をコンピュータにより制御するための制御プログラムであって、
前記第１の通信路を介してフレーム同期データを含む受信データを受信させ、
前記受信データからフレーム同期タイミングを抽出させ、
前記フレーム同期タイミングに同期させて送信データを送信させることを特徴とする制御プログラム。
【請求項９】
第１の通信路及び第２の通信路を介してフレーム構成のデータを全二重通信で伝送するデータ伝送装置をコンピュータにより制御するための制御プログラムであって、
前記第１の通信路を介してフレーム同期データを含む送信データを送信させ、
前記フレーム同期データのフレーム同期タイミングに同期させて前記第２の通信路を介して受信データを受信させ、処理を行わせることを特徴とする制御プログラム。
【発明の詳細な説明】
【技術分野】
【０００１】
本発明は、データ伝送装置、データ伝送方法及び制御プログラムに関し、特に、フレーム構成のデータを全二重通信するデータ伝送装置、データ伝送方法及び制御プログラムに関する。
【背景技術】
【０００２】
従来、データ通信を行う双方向通信において、同時に双方からデータを送信したり、受信したりすることができる通信方式である全二重通信方式が知られている（例えば、特許文献１参照）。この全二重通信方式においては、独立した送信チャネルと受信チャネルを用意し、送信と受信を同時に行なえるようにし、送信チャネルと受信チャネルとを共用する場合と比較して実質的に２倍の通信速度を得ることが可能となっていた。
【０００３】
図８は、従来のデータ伝送システムの一例を示し、このデータ伝送システム１１０は、第１データ端末装置１１１を備え、この第１データ端末装置１１１には、クロック伝送路１１２、第１通信路１１３及び第２通信路１１４を介して第２データ端末装置１１５が接続されている。
【０００４】
第１データ端末装置１１１は、図９に示すように、大別すると、第１通信路１１３を介して第２データ端末装置１１５に伝送すべきデータを生成するデータ生成部１２１と、伝送すべきデータにフレーム同期データを付加するフレーム同期データ生成部１２２と、データ伝送用のクロック信号ＣＫ１を発生する伝送クロック発生部１２３と、データ伝送用のクロック信号ＣＫ１に同期させて伝送すべきデータを第１通信路１１３を介して第２データ端末装置１１５（図８参照）に送信する伝送データ送信部１２４と、第２通信路１１４を介して第２データ端末装置１１５から伝送されたデータのフレーム同期データをデータ伝送用のクロック信号ＣＫ１に基づいて検出するフレーム同期検出部１２６と、第２通信路１１４を介して第２データ端末装置１１５から伝送されたデータからフレーム同期タイミングに基づいて処理対象のデータを抽出するデータ抽出部１２７と、抽出されたデータの処理を行うデータ処理部１２８とを備えている。
【０００５】
第２データ端末装置１１５は、図１０に示すように、大別すると、第１通信路１１３を介して第１データ端末装置１１１から伝送されたデータのフレーム同期データをクロック伝送路１１２を介して入力されたクロック信号ＣＫ１に基づいて検出するフレーム同期検出部１３１と、検出されたフレーム同期データに基づいて伝送されたデータを抽出するデータ抽出部１３２と、抽出されたデータの処理を行うデータ処理部１３３と、第２通信路１１４を介して第１データ端末装置１１１に伝送すべきデータを生成するデータ生成部１３５と、データ生成部１３５で生成されたデータにフレーム同期データを付加するフレーム同期データ生成部１３６と、第１データ端末装置１１１からクロック伝送路１１２を介して入力されたデータ伝送用のクロック信号ＣＫ１に同期させてフレーム同期データと伝送すべきデータとを第２通信路１１４を介して第１データ端末装置１１１に送信する伝送データ送信部１３７とを備えている。
【０００６】
次に、上記構成を有する従来のデータ伝送システム１１０の動作について説明する。
【０００７】
図１１は、上記従来のデータ伝送システム１１０におけるデータ伝送時のタイミングチャートである。第１データ端末装置１１１のデータ生成部１２１が伝送すべきデータＤ１１１を生成すると、フレーム同期データ生成部１２２に出力する。フレーム同期データ生成部１２２は、伝送すべきデータＤ１１１にフレーム同期データＦＤ１１を付加して伝送データ送信部１２４に出力する。
【０００８】
一方、伝送クロック発生部１２３は、データ伝送用のクロック信号ＣＫ１を発生し、伝送データ送信部１２４及びフレーム同期検出部１２６に出力するとともに、クロック伝送路１１２を介して第２データ端末装置１１５に出力する。
【０００９】
これらの結果、伝送データ送信部１２４は、フレーム同期データＦＤ１１が付加された伝送すべきデータＤ１１１をクロック信号ＣＫ１に同期させて第１通信路１１３を介して第２データ端末装置１１５に送信する。
【００１０】
具体的には、図１１に示すように、時刻ｔ１１において、クロック信号ＣＫ１が立ち上がると、フレーム同期データＦＤ１１の送信を開始する。そして、時刻ｔ１３において、フレーム同期データＦＤ１１の送信が完了すると、続けてデータＤ１１１の送信を開始する。
【００１１】
同様にして、第１データ端末装置１１１のデータ生成部１２１が伝送すべきデータＤ１１２を生成すると、フレーム同期データ生成部１２２は、伝送すべきデータＤ１１２にフレーム同期データＦＤ１２を付加して伝送データ送信部１２４に出力し、伝送データ送信部１２４は、時刻ｔ１５において、クロック信号ＣＫ１が立ち上がると、フレーム同期データＦＤ１２の送信を開始する。そして時刻ｔ１７において、フレーム同期データＦＤ１２の送信が完了すると、続けてデータＤ１１２の送信を開始する。以下、同様にして、データの送信がなされる。
【００１２】
一方、第２データ端末装置１１５のフレーム同期検出部１３１は、第１通信路１１３を介して第１データ端末装置１１１から伝送されたデータのフレーム同期データを、クロック伝送路１１２を介して入力されたクロック信号ＣＫ１に基づいて検出する。データ抽出部１３２は、検出されたフレーム同期データに基づいて伝送されたデータを抽出する。データ処理部１３３は、抽出されたデータの処理を行う。
【００１３】
また、第２データ端末装置１１５のデータ生成部１３５は、第２通信路１１４を介して第１データ端末装置１１１に伝送すべきデータＤ１２１を生成してフレーム同期データ生成部１３６に出力する。フレーム同期データ生成部１３６は、伝送すべきデータＤ１２１にフレーム同期データＦＤ２１を付加して伝送データ送信部１３７に出力する。
【００１４】
これらの結果、伝送データ送信部１３７は、フレーム同期データＦＤ２１が付加された伝送すべきデータＤ１２１をクロック信号ＣＫ１に同期させて第２通信路１１４を介して第１データ端末装置１１１に送信する。
【００１５】
具体的には、図１１に示すように、時刻ｔ１１に送信を開始した前回の送信データであるデータＤ１２０の送信が終了する時刻ｔ１２において、クロック信号ＣＫ１が立ち上がると、伝送データ送信部１３７は、フレーム同期データＦＤ２１の送信を開始する。そして、時刻ｔ１４において、フレーム同期データＦＤ２１の送信が完了すると、続けてデータＤ１２１の送信を開始する。
【００１６】
同様にして、第２データ端末装置１１５のデータ生成部１３５が伝送すべきデータＤ１２２を生成すると、フレーム同期データ生成部１３６は、伝送すべきデータＤ１２２にフレーム同期データＦＤ２２を付加して伝送データ送信部１３７に出力し、伝送データ送信部１３７は、時刻ｔ１６において、クロック信号ＣＫ１が立ち上がると、フレーム同期データＦＤ２２の送信を開始する。そして、時刻ｔ１８において、フレーム同期データＦＤ２２の送信が完了すると、続けてデータＤ１２２の送信を開始する。以下、同様にして、データの送信がなされる。
【００１７】
【特許文献１】特開平６−３７７３９号公報
【発明の開示】
【発明が解決しようとする課題】
【００１８】
しかし、上記従来のデータ伝送システムにおいては、上述したように、データの送受信の同期をとるために、各伝送経路毎に実際に伝送しようとするデータに加えてフレーム同期データを送信する必要があり、実効的な伝送効率が低下してしまうという問題点があった。
【００１９】
そこで、本発明は、上記従来のデータ伝送システム等における問題点に鑑みてなされたものであって、実効的な伝送効率を向上させることが可能なデータ伝送装置、データ伝送方法及び制御プログラムを提供することを目的とする。
【課題を解決するための手段】
【００２０】
上記課題を解決するため、本発明は、第１の通信路及び第２の通信路を介してフレーム構成のデータを全二重通信で伝送するデータ伝送装置であって、前記第１の通信路を介してフレーム同期データを含む受信データを受信するデータ受信部と、前記受信データからフレーム同期タイミングを抽出するタイミング抽出部と、前記フレーム同期タイミングに同期させて送信データを送信するデータ送信部とを備えたことを特徴としている。
【００２１】
上記構成によれば、データ受信部は、第１の通信路を介してフレーム同期データを含む受信データを受信し、タイミング抽出部は、受信データからフレーム同期タイミングを抽出する。これらの結果、データ送信部は、フレーム同期タイミングに同期させて送信データを送信する。
【００２２】
この場合において、前記送信対象のデータを生成するデータ生成部と、前記送信対象のデータをフレーム単位で記憶するデータフレーム記憶部とを備え、前記データ送信部は、前記データフレーム記憶部から前記フレーム単位で前記送信対象のデータを読み出して前記送信データとして送信するようにしてもよい。
【００２３】
また、クロック伝送路を介して伝送クロック信号を受信し、前記伝送クロック信号及び前記フレーム同期タイミングに基づいてフレーム先頭位置の到来タイミングを検出するクロックカウンタ部を備え、前記データ送信部は、前記フレーム先頭位置の到来タイミングに同期させて前記送信データを送信するようにしてもよい。
【００２４】
また、本発明は、第１の通信路及び第２の通信路を介してフレーム構成のデータを全二重通信で伝送するデータ伝送装置であって、前記第１の通信路を介してフレーム同期データを含む送信データを送信するデータ送信部と、前記フレーム同期データのフレーム同期タイミングに同期させて前記第２の通信路を介して受信データを受信し、処理を行うデータ受信処理部とを備えたことを特徴としている。
【００２５】
上記構成によれば、データ送信部は、第１の通信路を介してフレーム同期データを含む送信データを送信する。一方、データ受信処理部は、フレーム同期データのフレーム同期タイミングに同期させて前記第２の通信路を介して受信データを受信し、処理を行う。
【００２６】
この場合において、前記データ受信処理部は、前記受信データをフレーム単位で記憶するデータフレーム記憶部と、前記受信データから処理対象のデータを抽出するデータ抽出部と、前記処理対象のデータの処理を行うデータ処理部とを備えるようにしてもよい。
【００２７】
また、本発明は、第１の通信路及び第２の通信路を介してフレーム構成のデータを全二重通信で伝送するデータ伝送方法であって、前記第１の通信路を介してフレーム同期データを含む受信データを受信するデータ受信過程と、前記受信データからフレーム同期タイミングを抽出するタイミング抽出過程と、前記フレーム同期タイミングに同期させて送信データを送信するデータ送信過程とを備えたことを特徴としている。
【００２８】
さらに、本発明は、第１の通信路及び第２の通信路を介してフレーム構成のデータを全二重通信で伝送するデータ伝送方法であって、前記第１の通信路を介してフレーム同期データを含む送信データを送信するデータ送信過程と、前記フレーム同期データのフレーム同期タイミングに同期させて前記第２の通信路を介して受信データを受信し、処理を行うデータ受信処理過程とを備えたことを特徴としている。
【００２９】
また、本発明は、第１の通信路及び第２の通信路を介してフレーム構成のデータを全二重通信で伝送するデータ伝送装置をコンピュータにより制御するための制御プログラムであって、前記第１の通信路を介してフレーム同期データを含む受信データを受信させ、前記受信データからフレーム同期タイミングを抽出させ、前記フレーム同期タイミングに同期させて送信データを送信させることを特徴としている。
【００３０】
さらに、本発明は、第１の通信路及び第２の通信路を介してフレーム構成のデータを全二重通信で伝送するデータ伝送装置をコンピュータにより制御するための制御プログラムであって、前記第１の通信路を介してフレーム同期データを含む送信データを送信させ、前記フレーム同期データのフレーム同期タイミングに同期させて前記第２の通信路を介して受信データを受信させ、処理を行わせることを特徴としている。
【発明の効果】
【００３１】
以上のように、本発明によれば、フレーム構成のデータを全二重通信を行うに際し、一方のデータ伝送装置は、他方のデータ伝送装置のフレーム同期データに同期させてデータ伝送を行うため、フレーム同期データが不要となり、実効的な伝送データ量を増加させることができる。
【発明を実施するための最良の形態】
【００３２】
図１は、本発明にかかるデータ伝送システムの一実施の形態を示し、このデータ伝送システム１０は、第１データ端末装置１１を備え、この第１データ端末装置１１には、クロック伝送路１２、第１通信路１３及び第２通信路１４を介して第２データ端末装置１５が接続されている。
【００３３】
第１データ端末装置１１は、図２に示すように、大別すると、第１通信路１３を介して第２データ端末１５に伝送すべきデータを生成するデータ生成部２１と、伝送すべきデータにフレーム同期データを付加するフレーム同期データ生成部２２と、データ伝送用のクロック信号ＣＫを発生する伝送クロック発生部２３と、データ伝送用のクロック信号ＣＫに同期させて伝送すべきデータを第１通信路１３を介して第２データ端末装置１５に送信する伝送データ送信部２４と、データ伝送用のクロック信号ＣＫについてフレーム長分のクロックエッジをカウントするクロックカウンタ部２５と、第２通信路１４を介して第２データ端末装置１５から受信した伝送データを一時的に蓄えるデータフレームバッファ部２６と、データフレームバッファ部内のデータからデータを抽出するデータ抽出部２７と、抽出されたデータの処理を行うデータ処理部２８とを備えている。
【００３４】
第２データ端末装置１５は、図３に示すように、大別すると、第１通信路１３を介して第１データ端末装置１１から伝送されたデータのフレーム同期データをクロック伝送路１２を介して入力されたクロック信号ＣＫに基づいて検出するフレーム同期検出部３１と、検出されたフレーム同期データに基づいて伝送されたデータを抽出するデータ抽出部３２と、抽出されたデータの処理を行うデータ処理部３３と、データ伝送用のクロック信号ＣＫについてフレーム長分のクロックエッジをカウントするクロックカウンタ部３４と、第２通信路１４を介して第１データ端末装置１１に伝送すべきデータを生成するデータ生成部３５と、データ生成部３５で生成されたデータを一時的に蓄えるデータフレームバッファ部３６と、第１データ端末装置１１からクロック伝送路１２を介して入力されたデータ伝送用のクロック信号ＣＫに同期させて伝送すべきデータを第２通信路１４を介して第１データ端末装置１１に送信する伝送データ送信部３７とを備えている。
【００３５】
次に、上記構成を有するデータ伝送システム１０の動作について、図４に示したデータ伝送時のタイミングチャートを中心に参照しながら説明する。
【００３６】
図２の第１データ端末装置１１のデータ生成部２１が伝送すべきデータＤ１１を生成すると、フレーム同期データ生成部２２に出力する。フレーム同期データ生成部２２は、伝送すべきデータＤ１１にフレーム同期データＦＤ１を付加して伝送データ送信部２４に出力する。
【００３７】
一方、伝送クロック発生部２３は、データ伝送用のクロック信号ＣＫを発生し、伝送データ送信部２４、クロックカウンタ部２５及びデータフレームバッファ部２６に出力するとともに、クロック伝送路１２を介して第２データ端末装置１５に出力する。
【００３８】
これらの結果、伝送データ送信部２４は、フレーム同期データＦＤ１が付加された伝送すべきデータＤ１１をクロック信号ＣＫに同期させて第１通信路１３を介して第２データ端末装置１５に送信する。
【００３９】
具体的には、図４に示すように、時刻ｔ1において、クロック信号ＣＫが立ち上がると、フレーム同期データＦＤ１の送信を開始する。そして、時刻ｔ2において、フレーム同期データＦＤ１の送信が完了すると、続けてデータＤ１１の送信を開始する。
【００４０】
同様にして、第１データ端末装置１１のデータ生成部２１が伝送すべきデータＤ１２を生成すると、フレーム同期データ生成部２２は、伝送すべきデータＤ１２にフレーム同期データＦＤ２を付加して伝送データ送信部２４に出力し、伝送データ送信部２４は、時刻ｔ3において、クロック信号ＣＫが立ち上がると、フレーム同期データＦＤ２の送信を開始する。そして、時刻ｔ4において、フレーム同期データＦＤ２の送信が完了すると、続けてデータＤ１２の送信を開始する。以下、同様にして、データの送信がなされる。
【００４１】
一方、図３に示した第２データ端末装置１５のフレーム同期検出部３１は、第１通信路１３を介して第１データ端末装置１１から伝送されたデータのフレーム同期データをクロック伝送路１２を介して入力されたクロック信号ＣＫに基づいて検出するとともに、検出したフレーム同期タイミングをクロックカウンタ部３４に出力する。また、データ抽出部３２は、検出されたフレーム同期データに基づいて伝送されたデータを抽出する。さらに、データ処理部３３は、抽出されたデータの処理を行う。
【００４２】
これと並行して、クロックカウンタ部３４は、フレーム同期検出部３１の検出したフレーム同期タイミング及びデータ伝送用のクロック信号ＣＫについてフレーム長分のクロックエッジをカウントし、伝送データ送信部３７に出力する。
【００４３】
また、第２データ端末装置１５のデータ生成部３５は、第２通信路１４を介して第１データ端末装置１１に伝送すべきデータを生成してデータフレームバッファ部３６に出力する。データフレームバッファ部３６は、データ生成部３５で生成されたデータを一時的に蓄える。
【００４４】
伝送データ送信部３７は、第１データ端末装置１１からクロック伝送路１２を介して入力されたデータ伝送用のクロック信号ＣＫ及びフレーム同期タイミングに同期させて伝送すべきデータを第２通信路１４を介して第１データ端末装置１１に送信する。
【００４５】
具体的には、図４に示すように、時刻ｔ1において、クロック信号ＣＫが立ち上がると、伝送データ送信部３７は、データフレームバッファ部３６から読み出したデータＤ２１の送信を開始する。この場合において、データＤ２１のデータ長は、フレーム同期データＦＤ１（ＦＤ２）のデータ長とデータＤ１１（Ｄ１２）のデータ長を加算したデータ長となっている。すなわち、例えば、フレーム同期データＦＤ１のデータ長とデータＤ１１とが等しい場合には、第２データ端末装置１５は、実質的に２倍のデータ長のデータを送信することとなる。
【００４６】
同様にして、時刻ｔ3において、クロック信号ＣＫが立ち上がると、伝送データ送信部３７は、データフレームバッファ部３６から読み出したデータＤ２２の送信を開始する。
【００４７】
これらの結果、第１データ端末装置１１のデータフレームバッファ部２６は、フレーム同期信号ＦＤ１の同期タイミングに同期させてデータＤ２１を格納し、フレーム同期信号ＦＤ２の同期タイミングに同期させてデータＤ２２を格納する。その後、データ抽出部３２は、伝送されたデータＤ２１、Ｄ２２から処理対象のデータを抽出し、データ処理部３３は、抽出されたデータの処理を行う。
【００４８】
以上のように、上記データ伝送システム１０によれば、第２データ端末装置１５側は、データ送信時に第１データ端末装置１１側からのフレーム同期データＦＤ１、ＦＤ２に送信するデータＤ２１、２２を同期させるため、すなわち、第２通信路１４を伝送するフレームデータは、第１通信路１３を伝送されるフレームデータのフレーム位置と関連づけられ、第１通信路１３を伝送されるフレーム同期データによりフレーム位置を特定することが可能となるため、フレーム同期データを伝送する必要がなく、実効的なデータ転送効率を向上させることが可能となり、実効的なデータ伝送帯域を拡げることが可能となる。
【００４９】
図５は、上記データ伝送システム１０の第１変形例を示し、図５において、図２と同様の構成要素については、同一の符号を付して詳細説明を省略する。
【００５０】
以上の説明においては、データフレームバッファ部２６の詳細構成については説明しなかったが、同時にデータの書き込み及び読み出しを行うことができるように、上記データ伝送システム１０のデータフレームバッファ部２６としてデュアルポートメモリ２６Ａを用いるように構成することも可能である。
【００５１】
図６は、上記データ伝送システム１０の第２変形例を示し、図６において、図２と同様の構成要素には同一の符号を付して詳細説明を省略する。
【００５２】
本第２変形例においても、同時にデータの書き込み及び読み出しを行うことができるように、上記データ伝送システム１０のデータフレームバッファ部２６として、書き込み位置及び読み出し位置を独立に設定することが可能なリングバッファ２６Ｂを用いるように構成することも可能である。この場合において、リングバッファ２６Ｂの記憶領域は、２面以上とされている。
【００５３】
図７は、上記データ伝送システム１０の第３変形例を示し、図７において、図２と同様の構成要素には同一の符号を付して詳細説明を省略する。
【００５４】
本第３変形例においても、同時にデータの書き込み及び読み出しを行うことができるように、上記データ伝送システム１０のデータフレームバッファ部２６として書き込み位置及び読み出し位置を独立に設定することが可能とすべく、バンク切替が可能なバンクメモリ２６Ｃを用いるように構成することも可能である。この場合において、バンクメモリ２６Ｃの記憶領域は、２面（２バンク）以上とされている。
【産業上の利用可能性】
【００５５】
本発明は、例えば、テレビ会議装置と増設可能なエコーキャンセラー付きマイク装置との通信等に利用することができる。
【図面の簡単な説明】
【００５６】
【図１】本発明にかかるデータ伝送システムの一実施の形態を示す概要構成ブロック図である。
【図２】図１のデータ伝送システムの第１データ端末装置の概要構成ブロック図である。
【図３】図１のデータ伝送システムの第２データ端末装置の概要構成ブロック図である。
【図４】図１のデータ伝送システムにおけるデータ伝送時のタイミングチャートである。
【図５】本発明にかかるデータ伝送システムの第１変形例を示す概要構成ブロック図である。
【図６】本発明にかかるデータ伝送システムの第２変形例を示す概要構成ブロック図である。
【図７】本発明にかかるデータ伝送システムの第３変形例を示す概要構成ブロック図である。
【図８】従来のデータ伝送システムの一例を示す概要構成ブロック図である。
【図９】従来の第１データ端末装置の概要構成ブロック図である。
【図１０】従来の第２データ端末装置の概要構成ブロック図である。
【図１１】従来のデータ伝送システムにおけるデータ伝送時のタイミングチャートである。
【符号の説明】
【００５７】
１０  データ伝送システム
１１  第１データ端末装置
１２  クロック伝送路
１３  第１通信路
１４  第２通信路
１５  第２データ端末装置
２１  データ生成部
２２  フレーム同期データ生成部
２３  伝送クロック発生部
２４  伝送データ送信部
２５  クロックカウンタ部
２６  データフレームバッファ部
２６Ａ  デュアルポートメモリ
２６Ｂ  リングバッファ
２６Ｃ  バンクメモリ
２７  データ抽出部
２８  データ処理部
３１  フレーム同期検出部
３２  データ抽出部
３３  データ処理部
３４  クロックカウンタ部
３５  データ生成部
３６  データフレームバッファ部
３７  伝送データ送信部
【図１】
2006352512.tif 000003
【図２】
2006352512.tif 000004
【図３】
2006352512.tif 000005
【図４】
2006352512.tif 000006
【図５】
2006352512.tif 000007
【図６】
2006352512.tif 000008
【図７】
2006352512.tif 000009
【図８】
2006352512.tif 000010
【図９】
2006352512.tif 000011
【図１０】
2006352512.tif 000012
【図１１】
2006352512.tif 000013